(57)【特許請求の範囲】
【請求項１】
シリンダ状のポンプ本体と、前記ポンプ本体内に往復移動自在に挿入されるピストンと、
前記ピストンから上方に延びるステムと、前記ステムの上端に接続されかつ吐出ノズルとボス部とスカート部から構成されるイジェクタヘッドと、前記ポンプ本体の上端部を閉塞しかつ前記ステムが往復移動自在に挿通されるガイド穴を有するアッパキャップとを備えるポンプにおいて、
前記イジェクタヘッドのスカート部は、前記ボス部上端の球冠状の天面周縁から前記ボス部を取り囲むように下方に向かって延びかつ下端内周に雌ねじが形成され、前記アッパキャップは小径上半部と大径下半部とからなり、前記小径上半部に形成された前記ガイド穴の開口の内面がポンプ操作時に前記ポンプ操作軸と摺動接触可能であるとともに、前記小径上半部は、外周に前記スカート部の内周下端の雌ねじとねじ係合可能な雄ねじが形成され、前記大径下半部は、前記小径上半部と前記スカート部とがねじ係合された際、スカート部の下端が段差部頂面に接するとともにスカート部の下端外径と略同一径に形成されていることを特徴とするポンプ。
【発明の詳細な説明】
【０００１】
【発明の属する技術分野】
本発明は、容器の開口部に取り付けられ、容器内部の液体内容物を吐出または噴霧するポンプに関する。
【０００２】
【従来の技術】
従来のこの種のポンプとしては、例えば図５に示すようなものがある（実開平１−１０７４６２号公報参照）。すなわち、このポンプ２００は往復動型のポンプで、容器内部に挿入されるシリンダ状のポンプ本体２０１と、このポンプ本体２０１内に往復動自在に挿入されるピストン２０２と、このピストン２０２に連結されるステム２０３と、を備えている。このステム２０３は垂直に直線的に延びており、ポンプ本体２０１上端部のガイド部材２０４に設けられたガイド穴２０５に往復動自在に差し通されている。ステム２０３の上端部には、内容物を噴出させるためのノズル部２０６が設けられ、その下方には内面に雌ねじを有するスカート部２１０が設けられている。
【０００３】
そして、ガイド部材２０４のガイド穴２０５とステム２０３間の隙間からポンプ本体２０１内部に水が浸入しないように、ガイド部材２０４にステム２０３に対して摺動自在に密接する弾性筒部２０７が設けられていた。
【０００４】
特に、ステム２０３には大径部２０８と小径部２０９が設けられ、ポンプを操作するべくステム２０３を往復動させる間は、弾性筒部２０７はステム２０３の小径部２０９に接するようにして摩擦抵抗を極力小さくし、ポンプを使用していないステム２０３の最伸張位置において、弾性筒部２０７を大径部２０８に密接させて水の浸入を防止していた。
【０００５】
また、スカート部２１０は、ノズル部２０６の上方よりシャワー等により水が降りかかった場合、水がスカート部２１０の外周に当たって、ガイド部材２０４のガイド穴２０５とステム２０３間の隙間に直接水が降りかかることを防止していた。
【０００６】
【発明が解決しようとする課題】
しかしながら上記した従来例の場合には、ステム２０３に小径部２０９を設けて、操作中に摩擦抵抗が作用しないようにしているものの、弾性筒部２０７とステム２０３の寸法を正確に成形することは困難であり、弾性筒部２０７とステム２０３の寸法ばらつきによって摩擦抵抗が大きくなる場合がある。
【０００７】
また、寸法を厳密に管理したとしても、弾性筒部２０７とステム２０３の接触部に付着した内容物のかすや塵が固まりやすく、ステム２０３の動きが悪くなるという問題があった。
【０００８】
さらに、ポンプ２００を容器に装着する場合は、ポンプ２００を容器の頸口部に装着し、次いでノズル２０６を吐出する方向にグリッパによって固定するとともに、本体キャップ２１１を回転させてポンプ２００の装着を行うという方法が一般的に行われているが、この場合、本体キャップ２１１を容器の口頸部に締め込みすぎると、ノズル２０６の位置が固定されているために相対的にノズル２０６が本体キャップ２１１の回転する方向と逆の方向に動いてしまって、ガイド部材２０４とスカート部２１０の螺合が緩んだりはずれたりするという問題もあった。
【０００９】
本発明は上記した従来技術の課題を解決するためになされたものであって、その目的とするところは、ポンプ本体内への水の浸入を防止し得、しかもポンプ本体を装着する際に、ノズルが不用意に回動してロック状態が解除されることを防止し得るポンプを提供することにある。
【００１０】
【課題を解決するための手段】
上記目的を達成するために、本発明にあっては、
シリンダ状のポンプ本体と、ポンプ本体内に往復移動自在に挿入されるピストンと、ピストンから上方に延びるステムと、ステムの上端に接続されかつ吐出ノズルとボス部とスカート部から構成されるイジェクタヘッドと、ポンプ本体の上端部を閉塞しかつステムが往復移動自在に挿通されるガイド穴を有するアッパキャップとを備えるポンプにおいて、イジェクタヘッドのスカート部は、ボス部上端の球冠状の天面周縁からボス部を取り囲むように下方に向かって延びかつ下端内周に雌ねじが形成され、アッパキャップは小径上半部と大径下半部とからなり、小径上半部に形成されたガイド穴の開口の内面がポンプ操作時にポンプ操作軸と摺動接触可能であるとともに、小径上半部は、外周にスカート部の内周下端の雌ねじとねじ係合可能な雄ねじが形成され、大径下半部は、小径上半部と前記スカート部とがねじ係合された際、スカート部の下端が段差部頂面に接するとともにスカート部の下端外径と略同一径に形成されていることを特徴とする。
【００１２】
そして、アッパキャップの上半部を小径とし、下半部を大径とすることによって、アッパキャップの上半部に水を溜まりにくくするとともに、外観上の見栄えを良くすることが出来る。そして、保持部の外径は、イジェクタヘッドの外径に対して、大径または略同一とすることで、より見栄えが良く、輸送時に埃等がたまりにくくすることもできる。また、アッパキャップの外周とイジェクタヘッドの内周とを螺合させたときに、イジェクタヘッドのスカート部下端が、アッパキャップの上半部と下半部との段差部頂面に接することで、イジェクタヘッド螺合時のねじ込み終端が確実となり、容器に装着する際に過度のねじ込みによってノズル部が不用意に回動してしまうことも防止できる。
【００１４】
【発明の実施の形態】
以下、本発明の実施の形態を図面を基に説明する。
【００１５】
図１及び図２は本発明の第１の実施の形態に係るポンプを示している。
【００１６】
このポンプ１は、据置型のシャンプー容器等に用いられるもので、容器の開口部から容器内に挿入され内部に液体を貯留するポンプ室２を備えたシリンダ状のポンプ本体３と、ポンプ本体３の上端開口部を閉塞するアッパキャップ４と、ポンプ本体３内に往復動自在に挿入されポンプ室２の容積を拡張、収縮させる可動部材としてのピストン５と、アッパキャップ４に設けられたガイド穴６に往復動自在に挿入され上記ピストン５を操作するための操作軸７と、この操作軸７の上端に接続される吐出ノズル８を備えたイジェクタヘッド９と、ポンプ室２と容器内とを連通する吸入通路１０と、ポンプ室２とイジェクタヘッド９の吐出ノズル８を連通する吐出通路１１と、吸入通路１０に設けられる吸入弁１２と、吐出通路１１に設けられる吐出弁１３と、前記ピストン５を常時ポンプ室２の容積を拡張させる方向に付勢するばね部材１４と、を備えている。
【００１７】
ポンプ本体３は、その底壁に吸入弁１２が設けられ上端が開口する円筒状部材で、上端部に半径方向外方に向かって張り出すフランジ部１５が設けられ、このフランジ部１５が容器開口部に形成された口頸部上端にガスケット１６を介して係合している。ポンプ本体３のフランジ部１５の付け根位置には、フランジ部１５よりもさらに上方へ突出する円筒壁１７が突出成形されいる。
【００１８】
また、このポンプ本体３のフランジ部１５は、容器口頸部に螺着されるコンテナキャップ１８によって固定される。コンテナキャップ１８は、容器口頸部外周の雄ねじ部に螺合する雌ねじ部が設けられた円筒部１８ａと、この円筒部１８ａと、この円筒部１８ａの上端から内向きに向かって延びる内向きフランジ部１８ｂと、から構成されており、内向きフランジ部１８ｂがポンプ本体３のフランジ部１５上面に係合し、コンテナキャップ１８を容器口頸部外周にねじ込むことによってポンプ本体３のフランジ部１５を容器口頸部上端との間で上下に締め付けて強固に固定されている。
【００１９】
上記ピストン５は操作軸７と一体成形され、操作軸７の下端はピストン５よりも下方に突出しており、この操作軸７の下端によって吸入弁１２の弁体１２ａを押さえることが可能となっている。
【００２０】
ピストン５はポンプ室２内に装着されるばね部材１４によって上方に向けて、すなわちポンプ室２を拡張する方向に常時付勢されており、自由状態では操作軸７はアッパキャップ４上面から上方向に伸張状態にある。
【００２１】
イジェクタヘッド９は、天面が丸形状のヘッド本体１９と、ヘッド本体１９の側面から側方に延びる吐出ノズル８を有している。
【００２２】
ヘッド本体１９は、中央のボス部２０と、ボス部２０上端の球冠状の天面周縁からボス部２０を取り囲むように下方に向かって延びるスカート部２１と、から構成されている。
【００２３】
ボス部２０は、上端が閉塞し下端が開口する円筒形状で、環状のボス部２０下面には、その内径端側に操作軸７上端に接続するための筒状継手部２２が形成されている。
【００２４】
また、スカート部２１の下端内周には、この実施の形態では雌ねじ２１ａが設けられ、アッパキャップ４の小径上半部４１の外周に設けられた雄ねじ４１ａと螺合可能に形成されている。
【００２５】
吐出ノズル８は水平方向に対して若干上方に傾斜して延び、先端が下方に向かって曲げられている。吐出ノズル８の基端部はスカート部２１を貫通してボス部２０に接続されている。吐出ノズル８内を通る吐出穴８１も一端は吐出ノズル８の先端に開口し、他端がボス部２０内周の空間に連通している。また、ボス部２０の上底壁中央には下方に突出する突起２３が設けられ、突起２３の下端は上記吐出穴８１の開口部に対向する位置まで延びている。
【００２６】
アッパキャップ４は、イジェクタヘッド９のスカート部２１下端内周に設けた雌ねじ２１ａと螺合可能な雄ねじ４１ａを有する小径上半部４１と、イジェクタヘッドのスカート部の下端の外径と略同一径の大径下半部４２とを一体に成形している。また、小径上半部４１の上端にはガイド穴６が開口されおり、ガイド穴６の内面は操作軸７と摺動接触する。
【００２７】
また、この実施の形態では、第１図に示すように、小径上半部４１とイジェクタヘッド９のスカート部２１とが螺合された状態では、イジェクタヘッド９の外径に対して、大径下半部４２の外径はほぼ等しい径となっている。さらに、スカート部２１の下端は、アッパキャップ４の小径上半部４１と大径下半部４２との段差部頂面に当接している。
【００２８】
また、ポンプ本体３の底壁に設けられる吸入弁１２は、底壁からポンプ室２内に突出する弁座１２ｂと、この弁座１２ｂに接離する弁体１２ａと、弁体１２ａから弁座１２ｂに設けられた弁孔１２ｃ内に上下動可能に挿入される弁案内１２ｄと、弁体１２ａを常時閉弁方向に付勢し弁体１２ａを弁座１２ｂに着座させて閉弁状態に維持する押えばね１２ｅと、から構成されている。押えばね１２ｅは弁孔１２ｃ内に配設されている。そして、ポンプ室２内の圧力が容器内部の内圧に対して所定圧以下になると、吸入弁１２の弁体１２ａが押えばね１２ｅに抗して弁座１３ｂから浮き上がり、開弁される。
【００２９】
一方、ポンプ本体３の底壁下面には、吸入弁１２の弁孔１２ｃが開口縁から下方に向かって筒状に突出する接続筒部２４が設けられ、この接続筒部２４に吸入通路１０を構成するディップチューブ２５が接続されている。
【００３０】
また、操作軸７の中空内部は液体の吐出通路１１を構成するもので、その上端に吐出弁１３が設けられている。この吐出弁１３は、吐出通路１１内周に形成される弁座１３ｂと、この弁座１３ｂの上面側に中央の弁孔１３ｃを塞ぐように設けられるボール状の弁体１３ａと、から構成され、弁体１３ａは自重によって弁座１３ｂを閉塞している。そして、ポンプ室２の内圧が大気圧よりも所定圧以上高くなると、この吐出弁１３の弁体１３ａが浮き上がり開弁される。この浮き上がった弁体１３ａは突起２３に当接して吐出ノズル８の吐出穴８１を塞がないようになっている。
【００３１】
本発明によれば、吸入弁１２はポンプ室２内が負圧の時に開いて正圧の時に閉じ、吐出弁１３はポンプ室２内が負圧の時は閉じて正圧の時は開く構成となっている。
【００３２】
図１に示すように、ロック位置においては、スカート部２１の下端内周の雌ねじ２１ａとアッパキャップ４の小径上半部４１の雄ねじ４１ａとがねじ係合することによりロック状態が保持されている。また、ガイド穴６の内周には操作軸７上部の縮径部に接続されるイジェクタヘッド９下端の筒状継手部２２外周が入り込んでいる。一方、ポンプ本体３の操作軸７下端が吸入弁１２の弁体１２ａ上面に当接し、弁体１２ａを弁座１３ｂに押しつけて閉弁状態を維持している。
【００３３】
そして、イジェクタヘッド９をアッパキャップ４に対して回転させて、スカート部２１下端内周の雌ねじ２１ａとアッパキャップ４の小径上半部４１の雄ねじ４１ａのねじ係合を解除すると、図２に示すように、ばね部材１４の付勢力によって操作軸７が上方に突出するとともにピストン５が上方に移動してポンプ室２内の容積が拡張して、ポンプ室２内が負圧になる。この負圧によって吸入弁１２が開いて容器内から一定量の液体が自動的にポンプ室２内に吸入される。この状態が使用待機状態である。
【００３４】
この使用待機状態から、ばね部材１４のばね力に抗して操作軸７を押し込むと、ピストン５によってポンプ室２が圧縮されて吐出弁１３が開き、ポンプ室２内に吸入された液体がイジェクタヘッド９の吐出ノズル８を通じて吐出される。
【００３５】
また、このポンプ１を容器に装着する場合には、最初に容器に液体を充填した後、ロック状態にあるポンプ１を容器の口頸部の上端に載置する。次いで、イジェクタヘッド９とアッパキャップ４の側面を図示しない押さえ部材のグリッパで押さえながら、ロール等を用いて、イジェクタヘッド９の上方より見て時計方向にコンテナキャップ１８を回転させて容器口頸部外周にねじ込んで装着する。
【００３６】
このように本発明では、アッパキャップ４を小径上半部４１と大径下半部４２とからなる構成とし、イジェクタヘッド９のスカート部２１下端内周とアッパキャップ４の小径上半部４１の外周とをねじ係合可能としたので、ガイド穴６と操作軸７とが摺動接触し、アッパキャップ４の小径上半部４１上端にたまった水がガイド穴６と操作軸７との隙間からポンプ本体３へ浸入することを防止できる。
【００３７】
また、ポンプ１を容器に装着する際には、アッパキャップ４とイジェクタヘッド９とを押さえて、コンテナキャップ１８を回転させるため、コンテナキャップ１８のみが回転し、イジェクタヘッド９がコンテナキャップ１８とともに回転して螺号が緩んだり若しくははずれてしまうことも防止できる。
【００３８】
［他の実施の形態］
なお、上記の実施の形態では、アッパキャップ４の小径上半部４１の上端は、ほぼ水平な形状としたが、図３及び図４に示すように、小径上半部４１の上端を外方に向かって下向きに傾斜する形状にすることも出来る。この場合、小径上半部４１の上端に降りかかった水が重力の作用によって外径側に逃げて溜まらないので、ポンプ本体３内への水の浸入をより防止することが出来る。
【００３９】
【発明の効果】
以上説明したように、本発明によれば、アッパキャップを小径上半部と大径下半部とから構成とし、イジェクタヘッドのスカート部下端内周とアッパキャップの小径上半部の外周とをねじ係合可能としたので、ガイド穴と操作軸とが摺動接触するようにしたので、ポンプ本体内への空気の流入は可能としながらも、アッパキャップの上半部上端に溜まった水がガイド穴と操作軸との隙間からポンプ本体内へ浸入することを防止できる。
【００４０】
また、ポンプを容器に装着する際には、アッパキャップの大径下半部の径がイジェクタヘッドのスカート部の径と略同一の径となっていることから、押さえ部材であるグリッパの先端が、アッパキャップの大径下半部外面とイジェクタヘッドのスカート部外面とを押さえながら、コンテナキャップのみを回転させるので、イジェクタヘッドがコンテナキャップとともに回転して螺号が緩んだり若しくははずれてしまうことも防止できる。
【図面の簡単な説明】
【図１】  図１は本発明の実施の形態１に係るポンプのロック状態の縦断面図である。
【図２】  図２は図１のポンプの使用状態における縦断面図である。
【図３】  図３は本発明の他の実施の形態に係るポンプのロック状態の縦断面図である。
【図４】  図４は図３のポンプの使用状態における縦断面図である。
【図５】  図５は従来例のポンプの縦断面図である。
【符号の説明】
１    ポンプ
２    ポンプ室
３    ポンプ本体
４    アッパキャップ
５    ピストン
６    ガイド穴
７    操作軸
８    吐出ノズル
９    イジェクタヘッド
１０  吸入通路
１１  吐出通路
１２  吸入弁
１３  吐出弁
１４  ばね部材
１５  フランジ部
１６  ガスケット
１７  円筒壁
１８  コンテナキャップ
１９  ヘッド本体
２０  ボス部
２１  スカート部
２１ａ雌ねじ
２２  筒状継手部
２３  突起
２４  接続筒部
２５  ディップチューブ
４１  小径上半部
４１ａ雄ねじ
４２  大径下半部
【図１】
0003812073.tif 000002
【図２】
0003812073.tif 000003
【図３】
0003812073.tif 000004
【図４】
0003812073.tif 000005
【図５】
0003812073.tif 000006